(57)【要約】【課題】  環状体ｍを口に含んでも、当該環状体が口の中で回ったりしないようにする。【解決手段】  弾性力を備えた環状体ｍに、上側の口腔前庭に挿入する上側口腔前庭挿入部１１と、下側の口腔前庭に挿入する下側口腔前庭挿入部１２とを備え、上記環状体ｍをその弾性力に抗して変形させながら口腔に含んだとき、環状体ｍが、その弾性力で下顎を下方に押し下げながら相対的に前方に誘導する方向の力を発揮する構成にした下顎誘導美容具に関する。そして、上記上側口腔前庭挿入部１１には上唇小帯がはまる位置決め溝１１ａを形成し、かつ、上記環状体ｍであって、下唇小帯の両側のやや凹んだ部分に相当する位置に挿入されるとともに互いに間隔を保持した一対の位置保持用突部を兼ねる下側口腔前庭挿入部１２，１２形成してなる。【選択図】  図１
2012200268.tif 000002
【特許請求の範囲】
【請求項１】
弾性力を備えた環状体に、上側の口腔前庭に挿入する上側口腔前庭挿入部と、下側の口腔前庭に挿入する下側口腔前庭挿入部とを備え、上記環状体をその弾性力に抗して変形させながら口腔に含んだとき、環状体が、その弾性力で下顎を下方に押し下げながら相対的に前方に誘導する方向の力を発揮する構成にした下顎誘導美容具において、上記環状体であって、上記上側口腔前庭挿入部には上唇小帯がはまる位置決め溝を形成し、下唇小帯の両側のやや凹んだ部分に相当する位置に挿入されるとともに互いに間隔を保持した一対の位置保持用突部を形成してなる下顎誘導美容具。
【請求項２】
上記環状体を弾性を保持した線材で構成した請求項１記載の下顎誘導美容具。
【請求項３】
上記弾性線材からなる環状体に、互いに間隔を保持した一対の下側口腔前庭挿入部を設け、これら一対の下側口腔前庭挿入部に位置保持用突部の機能を兼ね備えさせた請求項２記載の下顎誘導美容具。
【請求項４】
上記弾性線材を形状記憶線材で構成し、当該環状体を口に含んだときに口を軽く開く状態に保つ形状を記憶させた請求項２または３に記載の下顎誘導美容具。
【発明の詳細な説明】
【技術分野】
【０００１】
この発明は、上顎に対して後退した下顎を前方に誘導しつつ、表情筋を強化する下顎誘導美容具に関する。
【背景技術】
【０００２】
人の歯は、それを長年使用し続けると摩耗してくるが、その摩耗が進むと、上顎の歯と下顎の歯とのかみ合わせがずれてくる。このように歯のかみ合わせがずれたときには、固定的である上顎に対して、動くことができる下顎の方がずれることになる。ただし、前歯のかみ合わせの関係から、下顎が上顎に対して前に出てくることはないので、下顎が相対的に後退することになる。つまり、下顎の位置は、歯のかみ合わせ面に合わせて経年変化し、上顎に対して後退していくが、このときには下顎は、その下顎の骨の湾曲に沿って、斜め上方向に変位する。
【０００３】
このように下顎が相対的に後退すると、口や頬の周りの軟組織すなわち皮膚や肉などがあまるようになり、これが皮膚のたるみやしわとなって現われてくる。
下顎の相対的な後退によってできた皮膚のたるみやしわは、下顎をそれが後退する前の位置に誘導することによってある程度取り除くことができる。
【０００４】
上記のように下顎を誘導するものとして、例えば、図８に示した下顎誘導美容具が従来から知られている。
上記図８に示した従来の下顎誘導美容具は、弾性力を備えた形状記憶樹脂製の環状体ｍからなり、上顎の歯茎との間に挿入する上側の口腔前庭挿入部１と、下顎の歯茎との間に挿入する下側の口腔前庭挿入部２とを備えている。そして、これら上側の口腔前庭挿入部１と下側の口腔前庭挿入部２とを連続させる両側部分を押圧部３，４として、全体的に環状にしている。
そして、上記上側の口腔前庭挿入部１と下側の口腔前庭挿入部２とのそれぞれには、歯茎に添わせるためのプレート部５，６を設けている。
【０００５】
上記のようにした環状体ｍは、形状記憶樹脂で構成しているので、図８に示した正面形状を楕円形に保ち、図９に示した側面形状を中央部が後方に張り出た凹面形状になるようにしている。
このようにした環状体ｍを口に含んだときに、正面が楕円形で側面が凹面形状を維持するが、この状態で、当該環状体ｍを口に含むと、矢印７，８の方向である短軸方向に広がる弾性力を発揮するとともに、矢印９，１０の方向である前方に押し出す方向の弾性力が発揮されるようにしている。
【０００６】
そして、上記環状体ｍを使用するときには、それを上記矢印７，８とは反対方向に少し押しつぶすようにして口の中に入れる。そして、上側の口腔前庭挿入部１を上顎の歯茎との間にある前庭に入れ、下側の口腔前庭挿入部２を下顎の歯茎との間にある前庭に入れるとともに、押圧部３，４を両頬の内側に入れる。
【０００７】
上記のように上側の口腔前庭挿入部１を上唇と上顎の歯茎との間の上側の口腔前庭に入れ、下側の口腔前庭挿入部２を下唇と下顎の歯茎との間の下側の口腔前庭に入れたときには、プレート部５，６が歯茎の表面に当たるので、その歯茎の部分を保護するとともに、利用者に対しては環状体ｍを入れたときの違和感を緩和させることができる。
【０００８】
また、上記のように環状体ｍを口に含んだとき、それはあらかじめ記憶した形態を保つとともに、口の中では、下顎を押し下げる矢印７，８方向の弾性力を発揮するとともに、押圧部３，４が両頬を前方に押し出す矢印９，１０方向の弾性力を発揮するようにしている。
【０００９】
口の中で、環状体ｍが矢印７，８および９，１０方向の弾性力を発揮している状態で、口を軽くつぐめば、上顎は頭蓋骨に対して固定されているので、動くことができる下顎が上顎に対して前方に誘導されることになる。
このように下顎が前方に誘導されるということは、下顎が相対的に後退する以前の位置に誘導されるということになる。
【００１０】
下顎が前方に誘導された状態で、口の中には環状体ｍの弾性力が作用しているので、例えば、奥歯を強くかみ締めることを防ぎながら、前歯のかみ合わせ位置を最適な位置に保ち、下顎を理想的な位置に保つことができる。このように前歯のかみ合わせ位置を最適な位置に保って、下顎の位置を矯正できれば、下顎周りのたるみやしわを取り除くことができるようになる。
【先行技術文献】
【特許文献】
【００１１】
【特許文献１】ＷＯ／２０１１／００１５３１号公報
【発明の概要】
【発明が解決しようとする課題】
【００１２】
上記のようにした従来の下顎誘導美容具では、環状体ｍを口に含んだとき、形態的には口の中で環状体ｍの位置を保つ手段が何もないために、環状体ｍが口の中で回ってしまうことがあった。もし、口の中で環状体ｍが回ってしまうと、口の中での弾性力の作用方向がずれてしまい、下顎を理想的な位置に矯正できなくなるという問題があった。
【００１３】
この発明の目的は、口腔に含むだけで相対的に後退した下顎を前方に誘導しつつ、前歯のかみ合わせを最適な状態に保ち、皮膚のたるみやしわを取り除くことはもちろん、口の中で環状体の位置がずれないようにした下顎誘導美容具を提供することである。
【課題を解決するための手段】
【００１４】
この発明は、弾性力を備えた環状体に、上側の口腔前庭に挿入する上側口腔前庭挿入部と、下側の口腔前庭に挿入する下側口腔前庭挿入部とを備え、上記環状体をその弾性力に抗して変形させながら口腔に含んだとき、環状体が、その弾性力で下顎を下方に押し下げながら相対的に前方に誘導する方向の力を発揮する構成にした下顎誘導美容具に関する。
【００１５】
そして、第１の発明は、上記環状体であって、上記上側口腔前庭挿入部には上唇小帯がはまる位置決め溝を形成し、下唇小帯の両側のやや凹んだ部分に相当する位置に挿入されるとともに互いに間隔を保持した一対の位置保持用突部を形成した点に特徴を有する。
【００１６】
第２の発明は、上記環状体を弾性を保持した線材で構成した点に特徴を有する。
第３の発明は、上記弾性線材からなる環状体に、互いに間隔を保持した一対の下側口腔前庭挿入部を設け、これら一対の下側口腔前庭挿入部に位置保持用突部の機能を兼ね備えさせた点に特徴を有する。
第４の発明は、上記弾性線材を形状記憶線材で構成し、当該環状体を口に含んだときに口を軽く開く状態に保つ形状を記憶させた点に特徴を有する。
【発明の効果】
【００１７】
第１の発明によれば、上側の口腔前庭に挿入する上側口腔前庭挿入部に上唇小帯がはまる位置決め溝を形成するとともに、下側の口腔前庭に挿入する一対の位置保持用突部を形成したので、環状体を口に含んでその弾性力に抗して上下の前歯をかみ合わせる運動を繰り返しても、上記位置決め溝と位置保持用突部とが相まって、環状体が口の中で回ったりしなくなる。このように環状体が口の中で回らないので、いつもバランスの良い安定した力が口腔に作用し、下顎を誘導しながらの美容という所期の目的を確実に達成することができる。
【００１８】
第２の発明は、上記環状体を弾性線材で構成したので、合成樹脂の使用量を最小限にすることができコストダウンを図ることができる。
【００１９】
第３の発明によれば、一対の下側口腔前庭挿入部に位置保持用突部の機能を兼ね備えさせたので、位置保持用突部を特別に設けなくてもよい。
第４の発明は、上記弾性線材を形状記憶線材で構成し、当該環状体を口に含んだときに口を軽く開く状態に保つ形状を記憶させたので、口の中において常に目的の形態を維持し、最適な状態で使用することができる。
【図面の簡単な説明】
【００２０】
【図１】第１実施形態の正面図である。
【図２】図１の状態から上側口腔前庭挿入部のみを起立させた正面図である。
【図３】図１のIII―III線断面図である。
【図４】第１実施形態の環状体を人の口に含んだ状態の側面図である。
【図５】第２実施形態の正面図である。
【図６】図５のVI−VI線断面図である。
【図７】第２実施形態の形状記憶線材の正面図である。
【図８】従来の美容具の正面図である
【図９】従来の美容具の側面図である
【発明を実施するための形態】
【００２１】
図１〜３に示した第１実施形態は、形状記憶線材からなる環状体ｍに、上側の口腔前庭に挿入する上側口腔前庭挿入部１１と、下側の口腔前庭における下唇小帯の両側のやや凹んだ部分に相当する位置に挿入する一対の下側口腔前庭挿入部１２，１２とを設けている。
なお、図１は環状体ｍの弾性力を開放した状態の正面図であり、この環状体ｍを口に含んで、正面から見て楕円形にたわませ、側面から見て凹状にたわませると、上記上側口腔前庭挿入部１１が、図１の状態から起立してその正面形状が図２のようになる。
【００２２】
上記上側口腔前庭挿入部１１は、その中央に上唇小帯がはまる位置決め溝１１ａを形成している。しかも、この上側口腔前庭挿入部１１は、図２に示すように上記位置決め溝１１ａを境にして左右対称にしている。そして、この上側口腔前庭挿入部１１の上側の稜線１１ｂは、上記位置決め溝１１ａから外側に向かってやや上向きの緩やかな弧を描き、その外側の端の部分では下降線を描くようにしている。
また、上記稜線１１ｂとは反対側の下側線１１ｃは、緩やかな弧を描きながら上記稜線１１ｂと合流している。
【００２３】
さらに、上側口腔前庭挿入部１１の厚さ方向の形状は、図３に示すように、内面１１ｄを平らにするとともに、外面１１ｅを外側に張り出させている。
このようにした上側口腔前庭挿入部１１は、それを上側の口腔前庭に挿入したとき、位置決め溝１１ａに上唇小帯がはまって、上記内面１１ｄが歯茎にぴったりと沿うとともに、外面１１ｅを張り出した部分が上側の口腔前庭の凹んだ部分にはまり、この上側の口腔前庭に対応する鼻の下の肉を前方に押し出す。したがって、鼻の両脇から口の両側に伸びるいわゆるインディアンラインを引き伸ばすことができる。
【００２４】
一方、上記上側口腔前庭挿入部１１とは反対側における環状体ｍには、上記一対の下側口腔前庭挿入部１２，１２を設けているが、この下側口腔前庭挿入部１２，１２は、互いに所定の間隔を維持するとともに、下側の口腔前庭における下唇小帯の両側のやや凹んだ部分に相当する位置に挿入される位置関係を保っている。
さらに、この下側口腔前庭挿入部１２，１２は、図１からも明らかなようにその下側縁１２ａを、下側の口腔前庭における下唇小帯の両側のやや凹んだ部分の底部に沿う形状にしている。
【００２５】
上記のようにした環状体ｍを口に含んだときに、正面が楕円形で側面が凹面形状を維持するが、環状体ｍは形状記憶線材で構成しているので、環状体ｍにはそれを口に含んだときに口を軽く開く状態に保つ形状を記憶させている。
この状態で、当該環状体ｍを口に含むと、環状体ｍがその正面から見て楕円形に押しつぶされるとともに、側面から見て図４に示すように凹状にたわむが、このときの弾性力によって、上記下側口腔前庭挿入部１２，１２を前方に押し出す力が発揮される。
なお、上記のように環状体ｍを形状記憶線材で構成しているので、それを口に含んだとき、当該環状体ｍがあらかじめ記憶した形態を保つとともに、口の中では下顎を押し下げながら、それを前方に押し出す力を発揮する。
【００２６】
いずれにしても、口の中で、環状体ｍが弾性力を発揮している状態で、口を軽くつぐめば、上顎は頭蓋骨に対して固定されているので、動くことができる下顎が上顎に対して前方に誘導されることになる。このように下顎が前方に誘導されるということは、下顎が相対的に後退する以前の位置に誘導されるということになる。
下顎が前方に誘導されれば、下顎周囲の皮膚や肉からなる軟組織が緊張し、下顎周りのたるみやしわを取り除くことができるようになる。
【００２７】
上記のようにした第１実施形態では、間隔を保って設けた一対の下側口腔前庭挿入部１２，１２と、位置決め溝１１ｃとが相まって、環状体ｍが口の中で回ってしまうようなことがなくなる。したがって、いつもバランスの良い安定した力が口腔に作用し、下顎を誘導しながらの美容という所期の目的を確実に達成することができる。つまり、この第１実施形態では、上記一対の下側口腔前庭挿入部１２，１２が、位置保持用突部としても機能する。
【００２８】
図５〜７に示した第２実施形態は、弾性力を備えた樹脂製の環状体ｍからなり、この環状体ｍは、その縦軸の上端部分である上側の口腔前庭に挿入する部分に上側口腔前庭挿入部１３を形成するとともに、この上側口腔前庭挿入部１３とは反対側における部分を下側口腔前庭挿入部１４としている。
【００２９】
また、上記上側口腔前庭挿入部１３は、図５からも明らかなように、正面形状が山形に隆起するとともにその山裾部分１３ａが環状体ｍに滑らかに合流する形態にしている。しかも、この上側口腔前庭挿入部１３の上部は２つの円弧を描き、この２つの円弧の境界から環状体ｍのほぼ中心に向かって上唇小帯がはまる位置決め溝１３ｂを形成している。このようにした位置決め溝１３ｂは、上記上側口腔前庭挿入部１３を上側の口腔前庭の部分に挿入することによって、その上側の口腔前庭にある上唇小帯がぴったりとはまるようにしている。
【００３０】
上記上側口腔前庭挿入部１３の側面形状は、図５に示すように、山形のほぼ中腹部１３ｃを最大厚さにするとともに、その厚さを環状体ｍ全体の他の部分よりも厚くし、しかも、その中腹部１３ｃから上側口腔前庭挿入部１３の上部に向かってその厚さを薄くして、図６に示す断面形状において、先端を先細りにしている。
【００３１】
上記のように環状体ｍに設けた上側口腔前庭挿入部１３がその上部に向かって先細りにしたので、その薄くした部分が上側の口腔前庭の隅までぴったりと入りこむ。
しかも、上記のように中腹部１３ｃの厚さを厚くしたので、この中腹部１３ｃが上側の口腔前庭の凹んだ部分にはまり、この上側の口腔前庭に対応する鼻の下の肉を前方に押し出す。したがって、鼻の両脇から口の両側に伸びるいわゆるインディアンラインを引き伸ばすことができる。
【００３２】
一方、環状体ｍのうち、下側の口腔前庭に挿入する挿入部１４には、下側の口腔前庭における下唇小帯の両側のやや凹んだ部分に相当する位置に挿入される一対の位置保持用突部１５，１５を設けている。この一対の位置保持用突部１５，１５は、上記のように下側の口腔前庭における下唇小帯の両側に位置させることによって、上記した上側口腔前庭挿入部１３の位置決め溝１３ｂと相まって、環状体ｍが口腔内において回らないようにストッパーとしての機能を果たす。
【００３３】
さらに、上記上側口腔前庭挿入部１３と下側口腔前庭挿入部１４との間であって、図５において当該環状体ｍの水平な半径に交差する部分に対応する箇所を押圧部１６としている。この押圧部１６は、当該環状体ｍを口に含むときに、図５に示すように、折り曲げられる箇所に位置するものである。
そして、上記環状体ｍには、形状記憶線材１７を埋め込んでいるが、この形状記憶線材１７であって上記押圧部１６に相当する部分には補強部１７ａを形成している。このように補強部１７ａを設けたので、この部分に例えば交番荷重が作用したとしてもそれが破損したりしない。
なお、上記第１実施形態の環状体ｍにも同様の補強部を設けてもよいこと当然である。
【００３４】
上記のようにした形状記憶線材１７は、図７に示すように、その上側中央部分を分断して分断部１７ｂとしている。このように分断部１７ｂを設けたのは、次の理由からである。
例えば、上記環状体ｍの押圧部１６が折り曲げられたとき、この分断部１７ｂが自由に動くので、他の部分、特に補強部１７ａに応力が集中しにくくなる。したがって、補強部１７ａと相まって、形状記憶線材１７が破損するのを防止できる。
なお、上記形状記憶線材１７は、樹脂製であってもよいし、金属製であってもよく、その材質は問わない。
【００３５】
上記のようにした環状体ｍを口に含んだときに、正面が楕円形で側面が凹面形状を維持するが、環状体ｍは形状記憶線材で構成しているので、環状体ｍにはそれを口に含んだときに口を軽く開く状態に保つ形状を記憶させている。
この状態で、当該環状体ｍを口に含むと、図５に示すように環状体ｍがその正面から見て楕円形に押しつぶされるが、このときの弾性力によって、上記下側口腔前庭挿入部１４を前方に押し出す力が発揮される。
なお、上記のように環状体ｍを口に含んだとき、形状記憶線材１７の機能で、当該環状体ｍがあらかじめ記憶した形態を保つとともに、口の中では下顎を押し下げながら、それを前方に押し出す力を発揮する。
【００３６】
いずれにしても、口の中で、環状体ｍが弾性力を発揮している状態で、口を軽くつぐめば、上顎は頭蓋骨に対して固定されているので、動くことができる下顎が上顎に対して前方に誘導されることになる。
このように下顎が前方に誘導されるということは、下顎が相対的に後退する以前の位置に誘導されるということになる。
下顎が前方に誘導されれば、下顎周囲の皮膚や肉からなる軟組織が緊張し、下顎周りのたるみやしわを取り除くことができるようになる。
【００３７】
上記のようにした第２実施形態では、位置決め溝１３ｂと位置保持用突部１５，１５を設けたので、これら両者が相まって環状体ｍが口の中で回ってしまうようなことがなくなる。したがって、いつもバランスの良い安定した力が口腔に作用し、下顎を誘導しながらの美容という所期の目的を確実に達成することができる。
【００３８】
また、上側口腔前庭挿入部１３の中腹部１３ｃを他の部分よりも最大厚を厚くするとともに、その中腹部１３ｃから上側口腔前庭挿入部１３の上部に向かってその厚さを徐々に薄くしたので、上記上側口腔前庭挿入部１３が上側の口腔前庭にぴったりとはまるとともに、この上側の口腔前庭に対応する鼻の下の肉を前方に押し出すので、鼻の両脇から口の両側に伸びるいわゆるインディアンラインを引き伸ばすことができる。
しかも、上記下側口腔前庭挿入部１４が下唇の下側を前に押し出すので、この下唇の下側にできるいわゆるマリオネットラインも伸ばすことができる。
【００３９】
さらに、環状体ｍに形状記憶線材１７を埋め込んだので、口の中において常に目的の形態を維持し、最適な状態で使用することができる。しかも、環状体ｍの押圧部１６に対応する部分における形状記憶線材１７には補強部１７ａを設けたので、この部分に例えば交番荷重が作用したとしてもそれが破損したりしない。
【符号の説明】
【００４０】
ｍ      環状体
１１      上側口腔前庭挿入部
１１ａ    位置決め溝
１２      下側口腔前庭挿入部
１３      上側口腔前庭挿入部
１４      下側口腔前庭挿入部
１５      位置保持用突部
１７      形状記憶線材
【図１】
2012200268.tif 000003
【図２】
2012200268.tif 000004
【図３】
2012200268.tif 000005
【図４】
2012200268.tif 000006
【図５】
2012200268.tif 000007
【図６】
2012200268.tif 000008
【図７】
2012200268.tif 000009
【図８】
2012200268.tif 000010
【図９】
2012200268.tif 000011